(57)【要約】【課題】器具内収容物に損傷を与えることがなく高い品質を保障することができる照明器具を提供する。【解決手段】照明器具１０は、光源を保持した器具本体１１と、器具本体１１に取り付けられる中反射板１５と、中反射板１５に取り付けられるルーバ１４と、器具本体１１と中反射板１５とを連結する仮吊紐と、を備え、ルーバ１４は、仮吊紐を引っ掛けるための仮吊紐引掛け片４２を折り曲げた。【選択図】図３
2011065870.tif 000002
【特許請求の範囲】
【請求項１】
光源を保持した器具本体と、
前記器具本体に取り付けられる中反射板と、
前記中反射板に取り付けられるルーバと、
前記器具本体と前記中反射板とを連結する仮吊紐と、
を備えた照明器具であって、
前記ルーバは、前記仮吊紐を引っ掛けるための仮吊紐引掛け片を折り曲げることを特徴とする照明器具。
【請求項２】
前記仮吊紐引掛け片は、前記中反射板の内面との間に隙間を有することを特徴とする請求項１に記載した照明器具。
【請求項３】
前記仮吊紐引掛け片は、折り曲げる部分の根元にくびれ部を設けているとともに折り曲げる部分にスリットを設けていることを特徴とする請求項１または２に記載した照明器具。
【発明の詳細な説明】
【技術分野】
【０００１】
本発明は、例えば住宅や工場等の天井面に直接取り付けられる照明器具に関し、特にルーバを備えた照明器具に関する。
【背景技術】
【０００２】
従来の照明器具の一例として、ルーバに中反射板の頂部内側から突出する仮吊紐引掛け片を形成したものがある（例えば、特許文献１参照）。
【０００３】
上記特許文献１に開示された照明器具では、ルーバを中反射板に装着することにより中反射板の内側に突出する仮吊紐引掛け片に仮吊紐を引っ掛けるようにしている。
【先行技術文献】
【特許文献】
【０００４】
【特許文献１】特開２００８−２１５３９号公報（図１、段落番号００２２）
【発明の概要】
【発明が解決しようとする課題】
【０００５】
ところが、上記特許文献１に開示された従来の照明器具では、ルーバの仮吊紐引掛け片が、中反射板への差し込み方向と同方向に突出している。そのため、中反射板と器具本体との間の空間に余裕がないと、器具本体に取り付けた例えば電源端子台に接続されている器具電線を収納するスペースが極端に小さくなり、中反射板の内側に突出している仮吊紐引掛け片に器具電線等の器具内収容物が接触することがありうる。
従って、仮吊紐引掛け片に器具電線等の器具内収容物が接触し、特に仮吊紐引掛け片のエッジ（端縁部）に器具内収容物が接触した場合、器具内収容物を折り曲げて損傷してしまう虞がある。
【０００６】
本発明は、前述した課題を解決するためになされたものであり、その目的は、器具内収容物に損傷を与えることがなく高い品質を保障することができる照明器具を提供することにある。
【課題を解決するための手段】
【０００７】
本発明に係る照明器具は、光源を保持した器具本体と、前記器具本体に取り付けられる中反射板と、前記中反射板に取り付けられるルーバと、前記器具本体と前記中反射板とを連結する仮吊紐と、を備えた照明器具であって、前記ルーバは、前記仮吊紐を引っ掛けるための仮吊紐引掛け片を折り曲げることを特徴とする。
【０００８】
本発明において、ルーバは、中反射板に取り付けられた際に仮吊紐引掛け片が折り曲げられる。
これにより、従来のもののように、仮吊紐引掛け片が中反射板への差し込み方向と同方向に突出しておらず、折り曲げられて平坦に配置されているために、中反射板と器具本体との間の空間に余裕がない場合に、器具電線等の器具内収容物が仮吊紐引掛け片に接触することになったとしても、平坦な部分へ接触することになり、エッジ部で器具内収容物を損傷してしまうことがない。
従って、器具内収容物に損傷を与えることがなく高い品質を保障することができる。
【０００９】
本発明に係る照明器具は、上記照明器具において、前記仮吊紐引掛け片は、前記中反射板の内面との間に隙間を有することを特徴とする。
【００１０】
本発明において、ルーバは、中反射板に取り付けられた際に、仮吊紐引掛け片と中反射板の内面との間に水平方向および垂直方向のいずれにも隙間を有する。
これにより、仮吊紐引掛け片を中反射板に接触させるように折り曲げる場合と比べて、折り曲げ作業が複雑になることがないとともに、仮吊紐引掛け片が中反射板の内面に対して弾性変形できる余裕分の距離を予め設定することができる。
従って、折り曲げ作業を効率よく行うことができるとともに、万が一に、器具内収容物により押圧されたとしても、その押圧力を中反射板に直接伝えることがないので、押圧力に伴う中反射板への影響を回避することができる。
【００１１】
本発明に係る照明器具は、上記照明器具において、前記仮吊紐引掛け片は、折り曲げる部分の根元にくびれ部を設けているとともに折り曲げる部分にスリットを設けていることを特徴とする。
【００１２】
本発明において、ルーバは、仮吊紐引掛け片が折り曲げられる際に、根元のくびれ部とスリットを中心にして折り曲げられる。
これにより、板状の部材を単純に折り曲げる場合と比べて、くびれ部およびスリットにより折り曲げ中心における体積が小さくなる。
従って、仮吊紐引掛け片を簡単に折り曲げることができる。加えて、スリットにより分離された部分が仮吊紐引掛け片に連続して平坦に配置されるために、仮吊紐引掛け片の面積を有効利用することができる。
【発明の効果】
【００１３】
本発明の照明器具によれば、ルーバは、仮吊紐を引っ掛けるための仮吊紐引掛け片を折り曲げた。
これにより、器具電線に損傷を与えることがなく高い品質を保障することができるという効果を有する。
【図面の簡単な説明】
【００１４】
【図１】本発明に係る一実施形態の照明器具の斜め下方から視た外観斜視図
【図２】図１の照明器具の分解斜視図
【図３】図１の照明器具の垂直断面図
【図４】図１の照明器具における中反射板の斜め上方から視た外観斜視図
【図５】図１の照明器具におけるルーバの単体正面図
【図６】図１の照明器具のルーバ取付け手順を説明する第１段階の正面図
【図７】図１の照明器具のルーバ取付け手順を説明する第２段階の正面図
【図８】図１の照明器具のルーバ取付け手順を説明する第３段階の正面図
【図９】図１の照明器具におけるルーバと電線との組み合わせを説明する側面図
【図１０】図１の照明器具における折り曲げが不完全である場合のルーバと器具電線との組み合わせを説明する側面図
【図１１】図１の照明器具のルーバと中反射板との組体の斜め上方から視た外観斜視図
【発明を実施するための形態】
【００１５】
以下、本発明の一実施形態に係る照明器具について図面を参照して説明する。
【００１６】
本発明の一実施形態である照明器具１０は、器具本体１１と、光源である一対の直管型の蛍光ランプ１２と、複数のルーバ１４と中反射板１５とを有する組体１３と、一対の第１仮吊紐１６および第２仮吊紐１７とを備えて、天井面１に直接取り付けられる。
【００１７】
図１、図２、図３に示すように、器具本体１１は、比較的薄い金属製板部材を用いて成形されており、天板１８と、一対の端板１９と、一対の側板２０とを有して下方を開放している。
【００１８】
器具本体１１は、天板１８の下面において幅方向の中央部に、安定器２１と、電源端子台２２と、一対の中反射板取付バネ２３とをそれぞれ取り付けている。
【００１９】
器具本体１１は、天板１８の下面において幅方向の中央部に、長手方向に一対の取付ボルト孔２４と、同じく長手方向で端板１９寄りに一対の仮吊紐引掛け部２５とを設けており、電源端子台２２の近傍に単一の電源線挿通孔２６を設けている。
【００２０】
取付ボルト孔２４には、天井面１から床面に向けて突出設置されている一対の取付ボルト２が挿通される。そして、これら取付ボルト２に座金２７を介してナット２８がそれぞれねじ込まれることにより、器具本体１１が天井面１に接して組み付けられる。
【００２１】
仮吊紐引掛け部２５は、天板１８を切り起し成形することにより、下方に向けてＶ字の板形状に突出形成されている。
【００２２】
電源線挿通孔２６には、天井面１側から電源線３が引き込まれる。電源線３は電源端子台２２に電気的に接続される。端子台２２からは安定器２１を通じてランプソケット２９へ不図示の器具電線が接続される。
【００２３】
中反射板取付バネ２３は、器具本体１１の天板１８から下方に向けてハ字形状に突出して配置されている。
【００２４】
中反射板取付バネ２３は、両先端部に有するＬ字形状部分で中反射板１５の両側部を挟み込むことにより中反射板１５を器具本体１１に組み付ける。
【００２５】
器具本体１１は、それぞれの端板１９の内側に二対のランプソケット２９を対向させて取り付けている。
【００２６】
ルーバ１４は、器具本体１１と同様の比較的薄い金属製板部材を用いて成形されている。ルーバ１４は、器具本体１１の両側板２０の間隔寸法よりも小さい幅寸法を有し、中央部が大きく両側部が小さいものとして予め定められた高さ寸法を有する。
【００２７】
中反射板１５は、ルーバ１４と同様の比較的薄い金属製板部材を用いてＶ字形状に形成されている。中反射板１５は、器具本体１１の両端板１９の間隔寸法よりも小さい長さ寸法を有し、長手方向に沿った両外側に一対の副反射板３０をそれぞれ備える。
【００２８】
中反射板１５は内側に空間部３１を有する。そのため、中反射板１５は、安定器２１、電源端子台２２、取付ボルト２、座金２７およびナット２８、電源線３、器具電線（図９参照）３２である器具内収容物および仮吊紐引掛け部２５のそれぞれを空間部３１内に収納して器具本体１１に取り付けられる。
【００２９】
第１仮吊紐１６は、所定の十分に長い長さ寸法を有する紐本体３３の一端部にＳ字形状をなすフック部３４を有し、紐本体３３の他端部に略球形状をなす不図示の掛止部を有する。
【００３０】
第２仮吊紐１７は、第１仮吊紐１６と同一に形成されており、紐本体３５の一端部にフック部３６を有し、紐本体３５の他端部に略球形状をなす不図示の掛止部を有する。
【００３１】
第１仮吊紐１６のフック部３４は器具本体１１の一方の仮吊紐引掛け部２５に引っ掛けられ、第２仮吊紐１７のフック部３６は器具本体１１の他方の仮吊紐引掛け部２５に引っ掛けられる。
【００３２】
図４に示すように、中反射板１５は、両端縁を内側に折り曲げられて折曲部３７，３８を形成している。
【００３３】
中反射板１５は、ルーバ１４を装着するためのルーバ取付用スリット３９と、ルーバ取付用スリット３９の外側に配置された一対の折り曲げ片挿通用孔４０とを長手方向の等間隔に複数有する。
【００３４】
図５に示すように、ルーバ１４は、中央部に、上方から下方に向けてＶ字形状に切除されていて一対の折り曲げ片４１と単一の仮吊紐引掛け片４２とを突出形成した中反射板取付用凹部４３を有する。
【００３５】
折り曲げ片４１は、舌片状に形成されており、中反射板１５の折り曲げ片挿通用孔４０に挿通されてから中反射板１５の内面において折り曲げ成形される。
【００３６】
仮吊紐引掛け片４２は、折り曲げ片４１よりもボリュームを大きく成形されており、中央部に、両仮吊紐１６，１７に有する掛止部の外径寸法よりも十分に大きい内径寸法の丸孔の大径孔４４を形成している。
【００３７】
仮吊紐引掛け片４２は、大径孔４４の両側に、両仮吊紐１６，１７に有する掛止部の外径寸法よりも十分に小さく、両紐本体３３，３５の外径寸法よりもわずかに大きい内径寸法の丸孔の一対の小径孔４５を大径孔４４に連通接続している。
【００３８】
中反射板取付用凹部４３は、仮吊紐引掛け片４２の根元部分にくびれ部４６を有し、くびれ部４６の内側にコ字形状をなすスリット４７を介して仮吊紐引掛け片延長板部４８を形成している。
【００３９】
ルーバ１４は、中反射板取付用凹部４３の両側部に、上方から下方に向けて湾曲形状に切除された一対の蛍光ランプ逃げ凹部４９を有する。そして、ルーバ１４は、蛍光ランプ逃げ凹部４９の外側に、上方から下方に向けてＩ字形状に切除された一対の副反射板取付用スリット５０を有する。
【００４０】
次に、ルーバ１４と中反射板１５との詳細および組付け手順について説明する。
【００４１】
図６に示すように、まず、ルーバ１４を中反射板１５の下方から進行させていき、中反射板取付用凹部４３を中反射板１５のＶ字の頂部に位置決めしながら、仮吊紐引掛け片４２を中反射板１５のルーバ取付用スリット３９に挿入していくとともに、一対の折り曲げ片４１を一対の折り曲げ片挿通用孔４０にそれぞれ挿入していく。
【００４２】
図７に示すように、ルーバ１４の仮吊紐引掛け片４２を中反射板１５のルーバ取付用スリット３９に挿入して、一対の折り曲げ片４１を一対の折り曲げ片挿通用孔４０にそれぞれ挿入したことにより、仮吊紐引掛け片４２および一対の折り曲げ片４１が中反射板１５の内側にそれぞれ突出する。
【００４３】
図８に示すように、一対の折り曲げ片４１を中反射板１５の内側において折り曲げ成形するとともに、仮吊紐引掛け片４２を中反射板１５の内側でほぼ９０度折り曲げ成形する。
【００４４】
一対の折り曲げ片４１が中反射板１５の内側に折り曲げ成形されることにより、ルーバ１４が中反射板１５に強固に組付けられ、仮吊紐引掛け片４２が中反射板１５の内側で水平に配置される。
【００４５】
このとき、仮吊紐引掛け片４２は、折り曲げ成形される際に、根元のくびれ部４６とスリット４７を中心にして折り曲げられる。
これにより、板状の部材を単純に折り曲げる場合と比べて、くびれ部４６およびスリット４７により折り曲げ中心における体積が小さくなる。また、スリット４７により分離された仮吊紐引掛け片延長板部４８が仮吊紐引掛け片４２に連続して平坦に配置される。
【００４６】
仮吊紐引掛け片４２は、中反射板１５の内面との間において、水平方向に隙間寸法Ｌ１を有し、垂直方向に隙間寸法Ｌ２を有する。
これにより、仮吊紐引掛け片４２を中反射板１５に接触させるように折り曲げる場合と比べて、折り曲げ作業が複雑になることがないとともに、仮吊紐引掛け片４２が中反射板１５の内面に対して弾性変形できる余裕分の距離を予め設定することができる。
【００４７】
図９に示すように、仮吊紐引掛け片４２は、根元のくびれ部４６とスリット４７を中心にしてほぼ９０度折り曲げ成形される。
これにより、中反射板１５の頂部内面に、水平な器具電線３２の載置用板部を形成することになる。
【００４８】
図１０に示すように、このとき、仮吊紐引掛け片４２の折り曲げ成形が不完全であると、器具電線３２に接触することになりうる。
【００４９】
つまり、仮吊紐引掛け片４２は、ほぼ９０度折り曲げ成形されているために、中反射板１５の頂部内面に水平な器具電線３２の載置用板部を形成しており、それにより、器具電線３２に接触して損傷を与えることがない。
【００５０】
図１１に示すように、工場における組立工程において、中反射板１５に複数のルーバ１４を組付けてから、副反射板取付用スリット５０に副反射板３０を挿入固定することにより、複数のルーバ１４と、一対の副反射板３０と、中反射板１５と、からなる組体１３が形成される。
【００５１】
そして、中反射板１５の内面に配置されている複数の仮吊紐引掛け片４２のうちの両端側の二つを選び、その一方の仮吊紐引掛け片４２の大径孔４４に第１仮吊紐１６の掛止部を挿通してから横方向に移動させることにより、第１仮吊紐１６の紐本体３３をいずれか一方の小径孔４５に挿通させて第１仮吊紐１６の掛止部を小径孔４５に掛止させる。
【００５２】
同時的に、他方の仮吊紐引掛け片４２の大径孔４４に第２仮吊紐１７の掛止部を挿通してから横方向に移動させることにより、第２仮吊紐１７の紐本体３５をいずれか一方の小径孔４５に挿通させて第２仮吊紐１７の掛止部を小径孔４５に掛止させる。
【００５３】
施工現場において、器具本体１１の一対の取付ボルト孔２４を天井面１の取付ボルト２に合わせ、器具本体１１の電源線挿通孔２６に電源線３を引き込んで器具本体１１を所定位置に配置する。
【００５４】
次に、取付ボルト２に座金２７を介してナット２８をそれぞれねじ込むことにより、器具本体１１を天井面１に組み付ける。このとき、組体１３は、各仮吊紐１６，１７により器具本体１１の下方に吊り下げられている。
【００５５】
そして、各仮吊紐１６，１７により器具本体１１と組体１３との間に形成されている施工スペースを用いて二対のランプソケット２９に２本の蛍光ランプ１２をそれぞれ装着し、その後に、中反射板１５を中反射板取付バネ２３に組み付けることにより中反射板１５を器具本体１１に取り付ける。
【００５６】
ランプの交換時期やメンテナンス時期が到来した際に、中反射板１５を中反射板取付バネ２３から取り外す。すると、各フック部３４，３６が器具本体１１の各仮吊紐引掛け部２５，２５にそれぞれ引っ掛けられていて、各掛止部が各仮吊紐引掛け片４２に掛止されている各仮吊紐１６，１７により組体１３が器具本体１１の下方に吊り下げられる。
【００５７】
そして、各仮吊紐１６，１７により器具本体１１と組体１３との間に形成されている施工スペースを用いて各蛍光ランプ１２の交換作業やメンテナンスを行うことになる。
【００５８】
ランプの交換やメンテナンスが完了した後に、中反射板１５を中反射板取付バネ２３に再び組み付けることにより中反射板１５を器具本体１１に取り付けて使用状態に復帰することになる。
【００５９】
以上説明してきたように、本発明の一実施形態の照明器具１０では、ルーバ１４は、中反射板１５に取り付けられた際に仮吊紐引掛け片４２が折り曲げられる。
これにより、従来のもののように、仮吊紐引掛け片が中反射板への差し込み方向と同方向に突出しておらず、折り曲げられて平坦に配置されているために、中反射板１５と器具本体１１との間の空間に余裕がない場合に、器具電線３２等の器具内収容物が仮吊紐引掛け片４２に接触することになったとしても、平坦な部分へ接触することになり、エッジ部で器具内収容物を損傷してしまうことがない。
従って、器具内収容物に損傷を与えることがなく高い品質を保障することができる。
【００６０】
本発明の一実施形態の照明器具１０では、ルーバ１４は、中反射板１５に取り付けられた際に、仮吊紐引掛け片４２と中反射板１５の内面との間に水平方向および垂直方向のいずれにも隙間を有する。
これにより、仮吊紐引掛け片を中反射板に接触させるように折り曲げる場合と比べて、折り曲げ作業が複雑になることがないとともに、仮吊紐引掛け片４２が中反射板１５の内面に対して弾性変形できる余裕分の距離を予め設定することができる。
従って、折り曲げ作業を効率よく行うことができるとともに、万が一に、器具内収容物により押圧されたとしても、その押圧力を中反射板１５に直接伝えることがないので、押圧力に伴う中反射板１５への影響を回避することができる。
【００６１】
本発明の一実施形態の照明器具１０では、ルーバ１４は、仮吊紐引掛け片４２が折り曲げられる際に、根元のくびれ部４６とスリット４７を中心にして折り曲げられる。
これにより、板状の部材を単純に折り曲げる場合と比べて、くびれ部４６およびスリット４７により折り曲げ中心における体積が小さくなる。
従って、仮吊紐引掛け片４２を簡単に折り曲げることができる。加えて、スリット４７により分離された仮吊紐引掛け片延長板部４８が仮吊紐引掛け片４２に連続して平坦に配置されるために、仮吊紐引掛け片４２の面積を有効利用することができる。
【００６２】
なお、前記各実施形態で使用した器具本体１１、蛍光ランプ１２、ルーバ１４、中反射板１５等は例示したものに限定するものではなく適宜変更が可能である。
【符号の説明】
【００６３】
１０  照明器具
１１  器具本体
１２  蛍光ランプ（光源）
１４  ルーバ
１５  中反射板
１６  第１仮吊紐（仮吊紐）
１７  第２仮吊紐（仮吊紐）
４２  仮吊紐引掛け片
４６  くびれ部
４７  スリット
【図１】
2011065870.tif 000003
【図２】
2011065870.tif 000004
【図３】
2011065870.tif 000005
【図４】
2011065870.tif 000006
【図５】
2011065870.tif 000007
【図６】
2011065870.tif 000008
【図７】
2011065870.tif 000009
【図８】
2011065870.tif 000010
【図９】
2011065870.tif 000011
【図１０】
2011065870.tif 000012
【図１１】
2011065870.tif 000013